(57)【要約】【課題】制御性及び操作性を向上し、かつ保守管理などのメインテナンスに適した空気調和機システム及び室外機を得る。【解決手段】ネットワーク１に接続された集中制御装置５により制御される空気調和装置において、空気調和装置３Ａ、３Ｂ、４Ａ、４Ｂの設けられた部屋に設置され、ネットワーク１に接続されたＯＡ機器６Ａ、６Ｂを備え、ＯＡ機器６Ａ、６Ｂから部屋の室温に対する応答情報が入力され、該応答情報と空気調和装置３Ａ、３Ｂ、４Ａ、４Ｂに設けられた温度センサによる値とに基づいて空気調和装置３Ａ、３Ｂ、４Ａ、４Ｂの制御が行われる。【選択図】図１３
2004003852.tif 000002
【特許請求の範囲】
【請求項１】
ネットワークに接続された集中制御装置により制御される空気調和装置において、
前記空気調和装置の設けられた部屋に設置され、前記ネットワークに接続されたＯＡ機器を備え、
前記ＯＡ機器から前記部屋の室温に対する応答情報が入力され、該応答情報と前記空気調和装置に設けられた温度センサによる値とに基づいて前記空気調和装置の制御が行われることを特徴とする空気調和装置。
【請求項２】
請求項１に記載のものにおいて、前記ＯＡ機器は複数設けられ、複数の前記応答情報と前記空気調和装置に設けられた温度センサによる値が総合的に判断されて前記空気調和装置の制御が行われることを特徴とする空気調和装置。
【請求項３】
請求項１に記載のものにおいて、前記空気調和装置の運転データが前記ネットワークを介して伝送されて記憶され、基準値と比較されて故障診断されることを特徴とした空気調和装置。
【請求項４】
請求項１に記載のものにおいて、前記集中制御装置に前記空気調和装置の制御プログラムが複数設けられ、該制御プログラムの一つが選択されて前記空気調和装置の制御が行われることを特徴とする空気調和装置。
【請求項５】
請求項１に記載のものにおいて、前記ネットワークを介して前記空気調和装置の制御プログラムが変更されることを特徴とする空気調和装置。
【発明の詳細な説明】
【０００１】
【発明の属する技術分野】
本発明は、マルチエアコンシステムに関し、特にネットワークを利用して合理的に構成され、低価格化、保守管理などのメインテナンス、操作性の向上に適した空気調和装置に関する。
【０００２】
【従来の技術】
従来、空気調和機は、製造時に制御プログラムをプリント板に搭載しており、マルチエアコンシステムでは室外機に複数の室内機を連絡配線を介して結線している。また、ビル内にローカルエリアネットワーク（ＬＡＮ）を構築し、それを利用して中央管理し、その端末でビル内の空気調和機器の操作部をディジタル制御するシステムが特許文献１、特許文献２に記載されている。
さらに、ＬＡＮを介してプログラムをダウンロードする例が特許文献１に記載されている。
【０００３】
【特許文献１】
特開平４−３４０１５０号公報
【特許文献２】
特開昭６１−２１２９４１号公報
【０００４】
【発明が解決しようとする課題】
上記従来技術（特許文献２）では、マルチエアコンシステムにおいて、室内機、室外機などの配線を合理的に行い、かつきめ細かい室温などの制御を行うこと、室内機、室外機の機種数を削減することなどは充分考慮されていなかった。また、上記従来技術（特許文献１）では、空気調和機の使用者より仕様の変更（たとえば、設定温度範囲を１７℃〜３０℃から２０℃〜２６℃に変更）を依頼された等の場合、制御プログラムを変更する具体的な構成については詳細に示されていなかった。
【０００５】
本発明の目的は、上記従来技術の問題点を解決し、マルチエアコンシステムの配線を少なくし、その工事を簡単にして低価格化するとともに、他のＯＡ機器として例えばパーソナルコンピュータからなるネットワークに必要な配線とも共用化を図り、空気調和機のネットワークを有効利用できる空気調和装置を提供することにある。
【０００６】
さらに、本発明の他の目的は空気調和機としての制御性及び操作性を向上し、かつ保守管理などのメインテナンスに適した空気調和装置を提供することにある。
【０００７】
【課題を解決するための手段】
上記目的を達成するために、本発明は、ネットワークに接続された集中制御装置により制御される空気調和装置において、前記空気調和装置の設けられた部屋に設置され、前記ネットワークに接続されたＯＡ機器を備え、前記ＯＡ機器から前記部屋の室温に対する応答情報が入力され、該応答情報と前記空気調和装置に設けられた温度センサによる値とに基づいて前記空気調和装置の制御が行われるものである。
【０００８】
また、上記のものにおいて、ＯＡ機器は複数設けられ、複数の応答情報と空気調和装置に設けられた温度センサによる値が総合的に判断されて空気調和装置の制御が行われることが望ましい。
さらに、上記のものにおいて、空気調和装置の運転データがネットワークを介して伝送されて記憶され、基準値と比較されて故障診断されることが望ましい。
【０００９】
さらに、上記のものにおいて、集中制御装置に前記空気調和装置の制御プログラムが複数設けられ、該制御プログラムの一つが選択されて前記空気調和装置の制御が行われることが望ましい。
さらに、上記のものにおいて、ネットワークを介して空気調和装置の制御プログラムが変更されることが望ましい。
【００１０】
【発明の実施の形態】
以下、本発明の一実施例について図１及び５を参照して説明する。
図１は、本発明の一実施例の空気調和機システムのローカルエリアネットワーク（ＬＡＮ）への構成機器の接続を示している。図５は、空気調和機システムの構成機器である冷凍サイクルの基本構成である。
【００１１】
制御信号などをやり取りする図１において、ＬＡＮ１はネットワーク用のオペレーティングシステム（ＯＳ）が設けられた集中制御装置５で管理される。集中制御装置５にはＬＡＮ１を介して室内機３Ａ、３Ｂというように２〜１２８台、室外機が４Ａというように１〜１６台接続されている。この接続には、例えば１０ＢＡＳＥ−Ｔ（ツイストペア線のイーサネット（登録商標）が用いられる。集中制御装置５のＯＳは、マルチタスク機能を有し、各端末である室内機３Ａ、３Ｂ、室外機４ＡなどをＩＤで認識して、端末の利用権利を設定できるようになっている。
【００１２】
図５の冷凍サイクルに示す如く、室外機４Ａ、４Ｂの各々は、圧縮機７、冷暖房切替え用の四方弁８、室外熱交換機９、室外熱交換機９に対する冷媒量を可変するためその開度を調整化とした、レシーバ１２、アキュムレータ１１を有している。室内機３Ａ、３Ｂ、３Ｃ、３Ｄは、室内熱交換機１３、開度を可変とした電子膨張弁１４を有している。次に運転時の動作についてその一例を説明する。
【００１３】
冷房時には、室外機４Ａの圧縮機７から吐出された高温高圧のガスは四方弁８を通り、室外熱交換機９で熱交換され液冷媒となる。ここで、電子膨張弁１０は全開である。液冷媒は、レシーバ１２、共通液管１５を通り、各室内機の液管へ分流し、電子膨張弁１４で減圧され、室内熱交換機１３で室内空気と熱交換され、低圧ガスになる。低圧ガスは、共通ガス管１６に合流し、室外機のガス管を通り、四方弁８、アキュムレータ１１を経て圧縮機７に戻り、圧縮された高温高圧の冷媒ガスとなり再度吐出される。
【００１４】
暖房時には、室外機４Ａの圧縮機７から吐出された高温高圧のガスは四方弁８を通り、共通ガス管１６に合流し、室内熱交換機１３で室内空気と熱交換され、液冷媒となる。ここで、電子膨張弁１４は全開である。液冷媒は、共通液管１５に合流し、室外機のレシーバ１２を通り、電子膨張弁１０で減圧され、室外熱交換機９で室外空気と熱交換して低圧ガスとなり四方弁８、アキュムレータ１１を経て圧縮機７に戻り、再び吐出される。
【００１５】
以上の冷房または暖房運転いずれかにおいて、室内の要求に応じて運転停止を要する室内機の電子膨張弁１４は、閉とする必要がある。また、複数台の室外機は、その要求される容量に応じて全台数または１部の台数を運転することが要求される。さらに、圧縮機の運転容量、あるいは室外熱交換機９を２個で構成した場合には、その切替えが必要になる。
【００１６】
要求される冷房または暖房負荷に応じた上記の選択、組み合わせ、特に圧縮機の容量制御は、集中制御装置５で行われる。ここで、集中制御装置５が圧縮機の容量を制御するとは、室外機の運転台数を決定することでも良いし、各室外機の圧縮機７を周波数可変型電源（インバータ）を用いて制御する際の容量を指令すること、及び直接制御することでも良い。
また、集中制御装置５が冷媒流量を制御するとは、各室内負荷に応じ各室内機へ冷媒が適正に分配されるように各室内機の電子膨張弁１４の開度を少なくとも決定することを意味する。
【００１７】
以上によって、集中制御装置５はＬＡＮを管理するネットワークオペレーティングシステム（ＯＳ）を備えているのでその保守管理が容易となる。また、少なくとも各々の室内機への冷媒流量の分配を決定し、必要な室外機の圧縮機の運転容量を決定するので、室内機、室外機の機種、容量などの管理が容易となり、共通化が図れる。
【００１８】
次に、本発明の他の実施例について図２を参照して説明する。
図２は、本発明の空気調和機システムのＬＡＮへの構成機器の接続を示している。１は、図１の例と同様なＬＡＮであり、ＯＡ機器として複数台のパーソナルコンピュータ６Ａ、６Ｂなどを接続している。接続されるＯＡ機器は、通常ビル内の事務室で使用されるプリンタなどであり、その他防災、防犯システムなどの設備機器などでも良い。
【００１９】
マルチエアコンとしての冷凍サイクルは、図１で説明したと同様であり、集中制御装置５は、各々の室内機３Ａ、３Ｂへの冷媒流量の分配を決定し、必要な室外機４Ａの圧縮機７の運転容量を決定する。また、その他の構成機器としては、氷蓄熱ユニットなどが接続される。本実施例は、ＯＡ機器のビル内配線と空気調和機に必要な室内外機間の配線との共用化ができ、省工事化が促進される。
【００２０】
さらに、他の実施例を図３及び図４、そして図６ないし図１２を参照して説明する。
図３は、マルチエアコンシステムの構成機器の一つである室内機３Ａの構成を示すブロック図である。図４は、同様に室外機４Ａの構成を示すブロック図である。図６は、各構成機器に記憶させたユニークな番号の例を示す一覧図であり、図７は、システム設計時に決めた室内機、室外機の冷媒系統番号とグループ番号の一覧図、図８は、集中制御装置、あるいはローダがＬＡＮに送信するメッセージフォーマット、図９ないし図１２は、メッセージ例をそれぞれ示している。
【００２１】
空気調和機システムのＬＡＮへの構成機器の接続は、既に述べた図１、あるいは図２の構成と同様である。また、冷凍サイクルは図５で説明したものと同様である。
【００２２】
室内機３Ａには、室内機の基本的な部分で比較的に高速を要する、図示はしていないが例えば、室内温度の検出、ファンモータの駆動などを主に行う制御部３−３と、記憶装置３−２と、ＬＡＮ１を介して他の構成機器と通信を行う伝送手段３−１を備えている。記憶装置３−２には、制御プログラムが伝送されたことの確認などを行うためのイニシャルプログラムローダ（ＩＰＬ）を有している。
【００２３】
室外機４Ａも同様に比較的に高速あるいは常時監視を要する、図示はしていないが例えば、吐出及び吸入圧力の検出、圧縮機の駆動などを主に行う制御部４−３と、記憶装置４−２と、ＬＡＮ１を介して他の構成機器と通信を行う伝送手段４−１を備えている。
【００２４】
他の室内機、室外機も同様の構成であり、集中制御装置５も同様に記憶装置、伝送手段を有し、さらに制御プログラムをＬＡＮ５上に送信するローダを備えている。ここで、ローダは集中制御装置５と別に専用にして設けても良い。
室内機３Ａ、３Ｂ、室外機４Ａ、及び集中制御装置５は、機器製造時にユニークな番号である製造番号を記憶している。すなわち図６に示すように１０桁の製造番号を記憶しており、この番号は他の装置からの要求信号によりＬＡＮ１上に送信することができる。
【００２５】
また、システム設計時に図７のように冷媒系統番号とグループ番号が決まっており、施工時に集中制御装置５は、室内機３Ａ、３Ｂなど及び室外機４Ａなどの製造番号を読み取り、それぞれに対応した冷媒系統番号、グループ番号を送信し、室内機３Ａ、３Ｂ、室外機４Ａなどの記憶装置３−２、４−２に記憶させる。
【００２６】
送信されるメッセージフォーマットは図８に示すようにヘッダ部を有しており、ヘッダ部の情報を指定する事により室内機、室外機毎の制御プログラムをＬＡＮ１上に送信でき、製造番号を指定すれば特定の室内機、室外機だけの制御プログラムを送信する事もできる。
それぞれの室内機３Ａ、３Ｂ、室外機ＡなどはＬＡＮ１上のメッセージを伝送手段３−１、４−１を介して受信し、制御部３−３、４−３で自己向けのメッセージを判別して自己向けのメッセージのみを記憶装置、４−２に読み込む。
【００２７】
その一例を示すと集中制御装置５あるいはそのローダは室内制御プログラムが搭載された図９のメッセージを送信する。室内機３Ａ、３Ｂは図９のメッセージを伝送手段３−１を介して受信し、制御部３−３でヘッダ部の識別番号＝１を認識し、自己向けのメッセージと判別する。そして、室内制御プログラムを記憶装置３−２にローディングする。
【００２８】
一方室外機４Ａは同様に、図９のメッセージを伝送手段４−１を介して受信し、制御部４−３でヘッダ部の識別コード＝１を認識し、自己向けのメッセージではないと判別し、このメッセージを捨てる。
【００２９】
以上のように、室内制御プログラムは室内機３Ａ、３Ｂなどに同時にローディングできることとなる。他のメッセージ例として、グループ番号１は冷房専用機として使用し、他のグループ２〜５はヒートポンプ機として使用したい場合を説明する。
【００３０】
まず集中制御装置５あるいはそのローダに冷房専用室外制御プログラムをセットし、図１０のメッセージをＬＡＮ１を介して送信する。そして前述と同様に室外機４Ａのみが自己向けメッセージと認識し冷房専用室外制御プログラムを記憶装置４−１にローディングする。
【００３１】
次にヒートポンプ室外制御プログラムを集中制御装置５あるいはそのローダににセットし、図１１のメッセージを送信し、同様にしてヒートポンプ室外制御プログラムを図示はしていないが室外機４Ｂの記憶装置４−１にローディングする。
【００３２】
次に室内制御プログラムを集中制御装置５あるいはそのローダにセットし図１２のメッセージを送信し、同様にして室内制御プログラムを室内ユニット３Ａ、３Ｂなどの記憶装置３−１にローディングする。
【００３３】
以上の説明では集中制御装置５あるいはそのローダに制御プログラムをセットしたが、ＬＡＮ１上の空気調和機または空気調和機を構成する機器の内の１つの機器、例えば室内機３Ａにロード用スイッチを設け、このスイッチが押されると室内機３Ａは記憶装置３−２に記憶している制御プログラムを前述と同様のメッセージフォーマットにより上に送信することもできる。
【００３４】
以上のように各構成機器に必要な制御プログラムをシステム仕様の変更に応じて変更することが簡単に、確実に行える。特に、室内機の容量の組み合わせを入り混ぜて設けた場合、圧縮機の運転容量の制御を変更することが可能となる。また、特定のグループを選択して一括して制御プログラムをローディングできるので効率良くプログラム変更が行える。
【００３５】
図１４は空気調和機のグループをゲートウェイ２０、２１を介してに接続した例を示し、これによって、片側のグループに故障を生じた場合の危険分散を図ることができる。また、ＬＡＮ１上に公衆回線網と接続できる装置を接続し、この装置を介して遠隔よりＬＡＮ１上の空気調和機または空気調和機を構成する機器の制御プログラムをローディングしても良い。
さらに、上記実施例では、集中制御装置５をサーバ用パソコンとして説明したが、単にローダを別途設けても良い。
【００３６】
図１３は、さらに他の実施例を示し、図２のものに対してファイルサーバ１７を別に設けたものである。
【００３７】
ファイルサーバ１７には、用途別の制御プログラムを複数設けたり、各種センサによる検出に必要なプログラムを複数用意したりしておく。また、室内機３Ａ、３Ｂ、室外機Ａなどより、運転データとして圧縮機の運転周波数、吸入圧力、及び吐出圧力、各膨張弁の開閉状態、吸入温度、吐出温度、外気温度など各部の温度などがＬＡＮ１を介してファイルサーバ１７に伝送され、記憶される。一方、運転データの基準値が別途ファイルサーバ１７に記憶され、集中制御装置５に備えられた解析ソフトで両者を比較することで、故障診断が行われる。
【００３８】
さらに、ＯＡ機器としてクライアント用のパーソナルコンピュータが複数台、例えば６Ａ、６Ｂのように接続され、少なくとも一つの室内機３Ａの設けられた部屋と同じ部屋に設置される。
【００３９】
このパーソナルコンピュータ６Ａ、６Ｂより、例えば室温が高いなどの応答を入力可として、その情報が集中制御装置であるサーバ用のパーソナルコンピュータ５へ伝送される。サーバ用のパーソナルコンピュータ５では、上記のようなマルチエアコンシステムの運転状態に対する応答と、室内機３Ａ、３Ｂに設けられた温度センサによる値などを総合的に判断して運転状態の制御を行う。　これによって、特に、例えば室温が高いという反応があった所だけ集中して、室温を上げるように圧縮機容量、冷媒の量などを最適に制御することが可能となる。
【００４０】
上記の実施例において、ＬＡＮに接続される室内機を２〜１２８台とし、室外機を１〜１６台とすると、１系統の冷媒配管で集約して８４ＫＷ（３０馬力）程度からのシステム容量に対応した展開が可能となる。また、パーソナルコンピュータ程度で安価に可能な小規模のＬＡＮで空気調和機システムを構築するのに好都合な規模である。
【００４１】
さらに、上記において、小規模のＬＡＮを通じて少なくとも室外機の制御プログラム、例えば室内機に設けられた膨張弁の開度指令を与える制御プログラムを変更することができる。よって、室内機には膨張弁の開度を制御する手段が不要となり少なくとも駆動部があれば良く、室内機の共通化が図れる。
【００４２】
また、集中制御装置は少なくとも各々の室内機への冷媒流量の分配を決定し、室外機の圧縮機の運転容量を決定すべく制御するので、室内機、室外機の機種、容量などの管理が容易となり、室内機、室外機などの共通化及び標準化が図れ、それらの機種数を削減できる。
【００４３】
以上によって、マルチエアコンシステムを低価格にできるとともに、空気調和機としての制御性及び操作性が向上され、かつ保守管理なども容易となる。
【００４４】
また、上記ＬＡＮにＯＡ機器を接続するので、通常ビル内に設置されるＯＡ機器、防災、防犯システムなどの設備機器との配線の共用化ができ、その有効利用が図られる。
【００４５】
さらに、マルチエアコンシステムの構成機器に必要な制御プログラムをＬＡＮ及び伝送手段を介してローダから記憶装置へローディングするので、各構成機器に必要な制御プログラムを仕様の変更などに応じて変更することが容易となる。
【００４６】
さらに、マルチエアコンシステムの室外機に必要な室外制御プログラムをＬＡＮ及び室外側伝送手段を介してローダから室外側記憶装置へするので、室外機に必要な制御プログラムを仕様の変更などに応じて変更することが容易となる。特に、室外機の制御プログラムが変更できることは、室内機の組み合わせを大小の容量を入り混ぜて変更した場合などに対応して、きめ細かく圧縮機の運転容量の制御を変更することが可能となる。
【００４７】
さらに、上記において、複数台の構成機器のうち特定のグループを選択して、グループに必要な制御プログラムを一括して構成機器の記憶装置へローディングしているので、例えば、あるグループは冷房専用に、他をヒートポンプ機としてだけ使用するなどのように区分けして効率良く、短時間に制御プログラムを伝送することができる。
【００４８】
さらに、上記集中制御装置に用途別の制御プログラムを複数設け、一つを選択できることとしているので、空気調和機を例えば、病院用に比較的温度変化を少なく穏やかな制御にしたり、学校用に学習効率を高めるために温度を下げ気味にして活動的な制御を目的としたりと変更することができる。
【００４９】
さらに、上記ローダに用途別の制御プログラムを複数設け、一つを選択できることとすると、空気調和機を例えば、病院用とか学校用とかの用途別に変更できる。そして、本例は特に、複数の構成機器を集中して制御するよりも、各構成機器に分散して制御したり、吐出圧力、吸入圧力、外気温度などを個別の構成機器で常時検出したりする場合、それに必要なプログラムを変更するのに好適である。
【００５０】
さらに、上記において、室内機及び室外機にユニークな番号として例えば、製造番号を記憶しておき、それをＬＡＮに送出できるようにしているので、集中制御装置、あるいはローダはその製造番号を判別し、それに対応した制御プログラムだけを送信することができる。よって、製造番号ごとに異なった改良バージョンのプログラムとすることができるなど、マルチエアコンシステムとしての制御性の向上ができ、保守管理が容易となる。
【００５１】
さらに、ＬＡＮにマルチエアコンシステムの記憶装置と伝送手段の設けられた構成機器及びＯＡ機器を接続し、集中制御装置にＬＡＮを管理するオペレーティングシステム（ＯＳ）と記憶装置へ構成装置の制御プログラムをローディングできるようにするので、各構成機器に必要な制御プログラムを仕様の変更などに応じて変更することが容易となるとともに、通常ビル内に設置されるパーソナルコンピュータ、プリンタなどのＯＡ機器などの配線の共用化ができ、その有効利用が図られる。
【００５２】
さらに、上記において集中制御装置へ室内機及び外機の運転データが伝送されるようにしているので、運転データとして例えば圧縮機の吸入圧力、吐出圧力、各部の温度などとすれば、その記録された運転データを分析すれば装置の故障などの原因が分かる。また、運転データを基準値と比較すれば運転状態の診断が可能となる。
【００５３】
これにより、各空気調和機及びマルチエアコンシステムの保守管理、メインテナンスを容易にできることとなる。
【００５４】
さらに、ＬＡＮを管理するＯＳを備えた集中制御装置と、ＬＡＮに室内機、室外機及びＯＡ機器を接続し、そのＯＡ機器よりマルチエアコンシステムの運転状態として、例えば室温が高いなどの応答を入力可能としているので、単に温度センサによって運転状態を制御するのみならず、室内機の設置された場所での運転状態に対する反応を加味して運転状態の制御が可能となる。
これにより、空気調和機としての制御性及び操作性が向上する。
【００５５】
さらに、ＬＡＮに２〜１２８台の室内機と、１〜１６台の室外機と、クライアント用のパーソナルコンピュータとを接続し、を管理するＯＳが設けられたサーバ用のパーソナルコンピュータを備えているので、１系統の冷媒配管で集約して８４ＫＷ程度までのシステム容量に対応した据付などの工事が行え、かつパーソナルコンピュータ程度で安価に可能な小規模のＬＡＮでシステムが構築できる。
【００５６】
したがって、ビルなどにおいて各室内に応じて小刻みに容量設定が可能で、各室内ユニットの展開に合わせて適正規模の室外機を選ぶなどのシステム設計ができる。
【００５７】
さらに、ＬＡＮに接続された室外機と、ＬＡＮに接続された複数台のクライアント用のパーソナルコンピュータと、ＬＡＮを管理するサーバ用ＯＳが設けられたサーバ用のパーソナルコンピュータとを備えているので、安価に可能な小規模のＬＡＮを通じて少なくとも室外機の制御プログラム、例えば室内機に設けられた膨張弁の開度指令を与える制御プログラムを変更することができる。よって、室内機には膨張弁の開度を制御する手段が不要となり、室内機の共通化が図れ、その機種数を削減できる。
【００５８】
【発明の効果】
本発明によれば、空気調和機としての制御性及び操作性が向上され、かつ保守管理などのメインテナンス、多様なシステム展開に適した空気調和装置が提供される。
【図面の簡単な説明】
【図１】一実施例の空気調和機システムのローカルエリアネットワーク（ＬＡＮ）への構成機器の接続を示すブロック図である。
【図２】他の実施例による空気調和機システムのＬＡＮへの構成機器の接続を示すブロック図である。
【図３】マルチエアコンシステムの構成機器の一つである室内機の構成を示すブロック図である。
【図４】室外機の構成を示すブロック図である。
【図５】空気調和機システムの構成機器である冷凍サイクルの基本構成を示すブロック図である。
【図６】各構成機器に記憶させたユニークな番号の例を示す一覧図である。
【図７】システム設計時に決めた室内機、室外機の冷媒系統番号とグループ番号の一覧図である。
【図８】集中制御装置、あるいはローダがＬＡＮに送信するメッセージフォーマットの一覧図である。
【図９】メッセージ例を示す一覧図である。
【図１０】メッセージ例を示す一覧図である。
【図１１】メッセージ例を示す一覧図である。
【図１２】メッセージ例を示す一覧図である。
【図１３】さらに他の実施例を示し、図２のものに対してファイルサーバを別に設けた空気調和機システムのＬＡＮへの構成機器の接続を示すブロック図である。
【図１４】さらに他の実施例を示し、図２のものに対して、空気調和機のグループをゲートウェイを介して接続した例を示す
【符号の説明】
１…ローカルエリアネットワーク（ＬＡＮ）、３Ａ〜３Ｚ…室内機、４Ａ〜４Ｆ…室外機、５…集中制御装置又はサーバ用パーソナルコンピュータ、６Ａ〜６Ｂ…ＯＡ機器又はクライアント用パーソナルコンピュータ、３−１、４−１…伝送手段、３−２、４−２…記憶装置、３−３、４−３…制御部、７…圧縮機、１０、１４…電子膨張弁。
【図１】
2004003852.tif 000003
【図２】
2004003852.tif 000004
【図３】
2004003852.tif 000005
【図４】
2004003852.tif 000006
【図５】
2004003852.tif 000007
【図６】
2004003852.tif 000008
【図７】
2004003852.tif 000009
【図８】
2004003852.tif 000010
【図９】
2004003852.tif 000011
【図１０】
2004003852.tif 000012
【図１１】
2004003852.tif 000013
【図１２】
2004003852.tif 000014
【図１３】
2004003852.tif 000015
【図１４】
2004003852.tif 000016